(57)【特許請求の範囲】
【請求項１】
被検眼の第１の深さ位置を撮影する第１モードと、前記第１の深さ位置とは異なる第２の深さ位置を撮影する第２モードとで動作可能な眼科撮影装置であって、
前記第１モード及び前記第２モードのうち予め選択されたモードで前記被検眼を撮影する撮影光学系と、
固視標を表示する固視標表示部を前記撮影光学系から分岐した光路に有し、前記固視標表示部により表示された前記固視標の像を前記被検眼に投影する固視光学系と、
前記選択されたモードに対応して前記固視光学系を制御し、前記固視標の像の焦点位置を変更する制御手段と、
を有する眼科撮影装置。
【請求項２】
前記制御手段は、前記固視光学系における光学素子の配置を変更することにより、前記固視標の像の焦点位置を変更することを特徴とする請求項１記載の眼科撮影装置。
【請求項３】
前記固視光学系は、前記固視標の像の焦点位置を変更する第１レンズを有し、
前記制御手段は、前記選択されたモードに対応して前記第１レンズを前記固視光学系の光路に挿脱させることにより、前記光学素子の配置を変更することを特徴とする請求項２記載の眼科撮影装置。
【請求項４】
前記固視光学系は、前記被検眼に投影される前記固視標の像の大きさを変更する変更手段を有し、
前記制御手段は、前記固視標の像の焦点位置の変更に対応して前記変更手段を駆動させ、前記固視標の像の大きさを変更することを特徴とする請求項１から３のいずれかに記載の眼科撮影装置。
【請求項５】
前記変更手段は絞りを含み、前記絞りの開口サイズを変更することにより前記固視標表示部による固視標の像の大きさを変更することを特徴とする請求項４記載の眼科撮影装置。
【請求項６】
前記固視光学系は、その光路に沿って前記固視標表示部を移動させる固視標移動手段を有し、
前記制御手段は、前記固視標の像の焦点位置の変更に対応して前記固視標移動手段を駆動させ、前記固視標表示部を移動させることを特徴とする請求項１から３のいずれかに記載の眼科撮影装置。
【請求項７】
前記第１レンズは、
前記第１モードに対応して用いられる第１モード用レンズと、
前記第２モードに対応して用いられる第２モード用レンズとを含み、
前記制御手段は、前記第１モード用レンズ及び前記第２モード用レンズのうち、前記選択されたモードに対応するレンズを前記固視光学系の光路に挿脱させることにより、前記光学素子の配置を変更することを特徴とする請求項３記載の眼科撮影装置。
【請求項８】
被検眼の第１の深さ位置を撮影する第１モードと、前記第１の深さ位置とは異なる第２の深さ位置を撮影する第２モードとで動作可能な眼科撮影装置であって、
前記第１モード及び前記第２モードのうち予め選択されたモードで前記被検眼を撮影する撮影光学系と、
固視標を表示する固視標表示部を前記撮影光学系から分岐した光路に有し、前記固視標表示部により表示された前記固視標の像を前記被検眼に投影する固視光学系と、
前記選択されたモードに対応して前記固視光学系を制御し、前記固視標の呈示態様を変更する制御手段と、
基台部と、
前記撮影光学系及び前記固視光学系を含む架台部と、
前記基台部に対して前記架台部を移動させる架台部移動手段と、
を有し、
前記撮影光学系は、前記固視光学系と共通の光路に挿脱される第２レンズを有し、
前記制御手段は、前記第２レンズの光路への挿脱に対応して前記架台部の位置を決定し、前記架台部移動手段を制御して前記架台部の位置を移動させることを特徴とする眼科撮影装置。
【請求項９】
被検眼を撮影する撮影光学系と、
固視標を表示する固視標表示部を前記撮影光学系から分岐した光路に有し、前記固視標表示部により表示された前記固視標の像を前記被検眼に投影する固視光学系と、
基台部と、
前記撮影光学系及び前記固視光学系を含む架台部と、
前記基台部に対して前記架台部を移動させる架台部移動手段と、
前記架台部の位置に対応して前記固視光学系を制御し、前記固視標の像の焦点位置を変更する制御手段と、
を有する眼科撮影装置。
【請求項１０】
所定の閾値を予め記憶する記憶部を有し、
前記制御手段は、
前記架台部の位置を検出する位置検出部を有し、
前記位置検出部による検出結果と前記所定の閾値との比較結果に基づいて前記固視光学系を制御し、前記固視標の像の焦点位置を変更することを特徴とする請求項９記載の眼科撮影装置。
【請求項１１】
前記固視光学系は、前記固視標の像の焦点位置を変更する第１レンズを有し、
前記第１レンズは、
前記被検眼の前眼部観察に用いられる前眼部用レンズと、
前記被検眼の眼底観察に用いられる眼底用レンズとを含み、
前記制御手段は、前記前眼部用レンズ又は前記眼底用レンズを前記固視光学系の光路に挿脱させることにより、前記固視標の像の焦点位置を変更することを特徴とする請求項９又は１０記載の眼科撮影装置。
【請求項１２】
被検眼を撮影する撮影光学系と、
固視標を表示する固視標表示部を前記撮影光学系から分岐した光路に有し、前記固視標表示部により表示された前記固視標の像を前記被検眼に投影する固視光学系と、
基台部と、
前記撮影光学系及び前記固視光学系を含む架台部と、
前記基台部に対して前記架台部を移動させる架台部移動手段と、
前記架台部の位置に対応して前記固視光学系を制御し、前記固視標の呈示態様を変更する制御手段と、
を有し、
前記撮影光学系は、前記固視光学系と共通の光路に挿脱される第２レンズを有し、
前記制御手段は、前記架台部の位置に対応して前記第２レンズを光路に挿脱させることを特徴とする眼科撮影装置。
【請求項１３】
前記制御手段は、前記固視光学系の制御において、前記固視標表示部による前記固視標の表示態様を変更することを特徴とする請求項１から１２のいずれかに記載の眼科撮影装置。
【請求項１４】
前記制御手段は、前記固視標の表示態様の変更において、前記固視標表示部により表示される前記固視標の大きさ、形状、明るさ及び色のうちの少なくとも一つを変更することを特徴とする請求項１３記載の眼科撮影装置。
【発明の詳細な説明】
【技術分野】
【０００１】
この発明は、眼科撮影装置に関する。
【背景技術】
【０００２】
眼科撮影装置は、被検眼における深さの異なる位置（例えば前眼部と眼底）を撮影・計測することができる。眼科撮影装置としては、たとえば、光コヒーレンストモグラフィ（Ｏｐｔｉｃａｌ  Ｃｏｈｅｒｅｎｃｅ  Ｔｏｍｏｇｒａｐｈｙ：ＯＣＴ）、眼底カメラ、走査型レーザ検眼装置（Ｓｃａｎｎｉｎｇ  Ｌａｓｅｒ  Ｏｐｈｔｈａｌｍｏｓｃｏｐｅ：ＳＬＯ）がある。
【０００３】
ＯＣＴは、レーザ光源等からの光ビームを用いて被測定物体の表面形態や内部形態を計測することができる（特許文献１参照）。ＯＣＴは、Ｘ線ＣＴのように人体に対する侵襲性を持たないことから、特に医療分野や生物学分野における応用の展開が期待されている。
【０００４】
眼底カメラは、照明光の眼底反射光に基づいて被検眼の眼底の状態を観察することができる装置である（特許文献２参照）。
【０００５】
ＳＬＯは、共焦点光学系を用いて眼底に対して２次元的にレーザ光を走査し、その反射光を受光することにより眼底像を得る装置である（特許文献３参照）。
【０００６】
これらの装置で被検眼の撮影を行う場合、撮影前に眼底に固視標の像を投影させ、被検眼を固視させることが行われている。「固視」とは、固視標の像を眼底に向けて投影し、被検眼の視線方向を一定に保たせることをいう。
【０００７】
また、これらの装置では、固視標の像の焦点位置が被検眼の所定部位（たとえば、眼底）に合うよう光学系が設計されている。
【先行技術文献】
【特許文献】
【０００８】
【特許文献１】特開平１１−３２５８４９号公報
【特許文献２】特開２００６−１１６０８９号公報
【特許文献３】特開２００８−２２８７８１号公報
【発明の概要】
【発明が解決しようとする課題】
【０００９】
たとえば、ＯＣＴを用いて前眼部を撮影する場合、ＯＣＴの光学系を前眼部に焦点が合うように変更する。ここで、固視標の像の焦点位置が被検眼の眼底に合っている装置の場合、前眼部を撮影するために光学系の配置を変更すると、固視標の像の焦点位置が眼底に合わなくなる。従って、被検眼の固視を確実に行うことができないという問題があった。
【００１０】
この発明は、以上のような問題を解消するためになされたものであり、その目的は被検眼の撮影部位に関わらず、固視の適正化を図ることが可能な眼科撮影装置を提供することにある。
【課題を解決するための手段】
【００１１】
上記目的を達成するために、実施形態の眼科撮影装置は、被検眼の第１の深さ位置を撮影する第１モードと、第１の深さ位置とは異なる第２の深さ位置を撮影する第２モードとで動作可能な眼科撮影装置である。眼科撮影装置は、撮影光学系と、固視光学系と、制御手段とを有する。撮影光学系は、第１モード及び第２モードのうち予め選択されたモードで被検眼を撮影する。固視光学系は、固視標を表示する固視標表示部を撮影光学系から分岐した光路に有し、固視標表示部により表示された固視標の像を被検眼に投影する。制御手段は、選択されたモードに対応して固視光学系を制御し、固視標の像の焦点位置を変更する。
【発明の効果】
【００１２】
この発明に係る眼科撮影装置は、選択された第１モード及び第２モードに対応して固視光学系を制御し、固視標の呈示態様を変更する。よって、被検眼の撮影部位に関わらず、眼底にピントが合った固視標を呈示できる。つまり、被検眼の撮影部位に関わらず、固視の適正化を図ることができる。
【００１３】
また、この発明に係る眼科撮影装置は、本体部の位置に対応して固視光学系を制御し、固視標の呈示態様を変更する。よって、被検眼の撮影部位に関わらず、眼底にピントが合った固視標を呈示できる。つまり、被検眼の撮影部位に関わらず、固視の適正化を図ることができる。
【００１４】
また、この発明に係る眼科撮影装置は、選択された第１モード及び第２モードに対応して固視光学系を制御し、被検眼の眼底に対する共役位置と固視標表示部の位置とを略一致させる。固視標表示部が眼底に対する共役位置に配置されることにより、眼底にピントが合った固視標を呈示できる。つまり、被検眼の撮影部位に関わらず、固視の適正化を図ることができる。
【図面の簡単な説明】
【００１５】
【図１】第１実施形態に係る眼科撮影装置の全体図である。
【図２】第１実施形態に係る眼科撮影装置の光学系を示す図である。
【図３】第１実施形態に係る眼科撮影装置のブロック図である。
【図４】第１実施形態に係る眼科撮影装置の動作を示すフローチャートである。
【図５】第２実施形態に係る眼科撮影装置の全体図である。
【図６】第２実施形態に係る眼科撮影装置のブロック図である。
【図７】第２実施形態に係る眼科撮影装置の動作を示すフローチャートである。
【図８】第３実施形態に係る眼科撮影装置のブロック図である。
【図９】第３実施形態に係る眼科撮影装置の動作を示すフローチャートである。
【図１０】変形例１に係る眼科撮影装置のブロック図である。
【発明を実施するための形態】
【００１６】
＜第１実施形態＞
図１から図４を参照して、第１実施形態に係る眼科撮影装置の構成について説明する。眼科撮影装置としては、ＯＣＴ、眼底カメラ、走査型レーザ検眼装置等がある。本実施形態では、眼底カメラとＯＣＴが一体化した眼科撮影装置について説明する。
【００１７】
本実施形態では、フーリエドメインタイプの光コヒーレンストモグラフィを適用した構成について説明する。光コヒーレンストモグラフィによって取得される画像をＯＣＴ画像と呼ぶことがある。また、ＯＣＴ画像を形成するための計測動作をＯＣＴ計測と呼ぶことがある。
【００１８】
図１及び図２に示すように、眼科撮影装置１は、眼底カメラユニット２、ＯＣＴユニット１００及び演算制御ユニット２００を含んで構成される。眼底カメラユニット２は、従来の眼底カメラとほぼ同様の光学系を有する。ＯＣＴユニット１００には、被検眼ＥのＯＣＴ画像を取得するための光学系が設けられている。演算制御ユニット２００は、各種の演算処理や制御処理等を実行するコンピュータを具備している。
【００１９】
本実施形態では、被検眼Ｅにおける深さの異なる位置（たとえば前眼部Ｅｃと眼底Ｅｆ）の断層像及び撮影画像の双方を取得可能な眼科撮影装置１について説明する。本実施形態では、前眼部Ｅｃが「第１の深さ位置」に該当し、眼底Ｅｆが「第２の深さ位置」に該当する。また、本実施形態では、眼底カメラユニット２又はＯＣＴユニット１００により、前眼部Ｅｃを撮影するモードを「第１モード」とし、眼底Ｅｆを撮影するモードを「第２モード」として説明する。
【００２０】
＜眼底カメラユニット＞
図１に示す眼底カメラユニット２には、被検眼Ｅ（前眼部Ｅｃ又は眼底Ｅｆ。以下、同様）の２次元画像（被検眼像）を形成するための光学系が設けられている。被検眼像には、観察画像や撮影画像などが含まれる。観察画像は、たとえば、赤外光（近赤外光）を用いて所定のフレームレートで形成されるモノクロの動画像である。撮影画像は、たとえば、可視光をフラッシュ発光して得られるカラー画像である。なお、眼底カメラユニット２は、蛍光画像などを取得可能に構成されていてもよい。
【００２１】
眼底カメラユニット２には、従来の眼底カメラと同様に、被検者の顔が動かないように支えるための顎受けや額当てが設けられている。更に、眼底カメラユニット２には、従来の眼底カメラと同様に照明光学系１０、撮影光学系３０及び固視光学系７０が設けられている。照明光学系１０、撮影光学系３０及び固視光学系７０は本体部に含まれる。本体部は、移動手段（架台移動部８８。第３実施形態で詳述する）により移動可能となっている。
【００２２】
照明光学系１０は被検眼Ｅに照明光を照射する。撮影光学系３０は、この照明光の被検眼Ｅからの反射光を撮像装置（ＣＣＤイメージセンサ３５、３８）に導く。また、撮影光学系３０は、ＯＣＴユニット１００からの信号光を被検眼Ｅに導くとともに、被検眼Ｅを経由した信号光をＯＣＴユニット１００に導く。固視光学系７０は、固視標を被検眼Ｅに投影するための光学系である。本実施形態において、撮影光学系３０と固視光学系７０は光路の一部（光路を形成する光学素子の一部）を共有している。具体的には、孔開きミラー２１、対物レンズ２２、合焦レンズ３１、ダイクロイックミラー３２、ハーフミラー４０を共有している。本実施形態において、ハーフミラー４０の位置が撮影光学系３０の光路と固視光学系７０の光路との分岐点である。
【００２３】
照明光学系１０の観察光源１１は、たとえばハロゲンランプにより構成される。観察光源１１から出力された光（観察照明光）は、曲面状の反射面を有する反射ミラー１２により反射され、集光レンズ１３を経由し、可視カットフィルタ１４を透過して赤外光（近赤外光）となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、対物レンズ２２を経由して被検眼Ｅを照明する。
【００２４】
観察照明光の被検眼Ｅからの反射光は、対物レンズ２２により屈折され、孔開きミラー２１の中心領域に形成された孔部を通過し、ダイクロイックミラー５５を透過し、合焦レンズ３１を経由し、ダイクロイックミラー３２により反射される。更に、この反射光は、ハーフミラー４０を透過し、ダイクロイックミラー３３により反射され、集光レンズ３４によりＣＣＤイメージセンサ３５の受光面に結像される。ＣＣＤイメージセンサ３５は、たとえば所定のフレームレートでその反射光を検出する。表示装置３には、ＣＣＤイメージセンサ３５により検出されたその反射光に基づく画像（観察画像）Ｋが表示される。
【００２５】
撮影光源１５は、たとえばキセノンランプにより構成される。撮影光源１５から出力された光（撮影照明光）は、観察照明光と同様の経路を通って被検眼Ｅに照射される。撮影照明光の反射光は、観察照明光のそれと同様の経路を通ってダイクロイックミラー３３まで導かれ、ダイクロイックミラー３３を透過し、ミラー３６により反射され、集光レンズ３７によりＣＣＤイメージセンサ３８の受光面に結像される。表示装置３には、ＣＣＤイメージセンサ３８により検出されたその反射光に基づく画像（撮影画像）Ｈが表示される。なお、観察画像Ｋを表示する表示装置３と撮影画像Ｈを表示する表示装置３は、同一のものであってもよいし、異なるものであってもよい。
【００２６】
撮影光学系３０は、前眼部専用レンズ３００を有する。前眼部専用レンズ３００は、前眼部Ｅｃの撮影を行う場合に、撮影光学系３０と固視光学系７０との共通の光路（分岐点よりも被検眼Ｅ側）上に挿入される。前眼部専用レンズ３００は、たとえば図１に示すように、ダイクロイックミラー５５と合焦レンズ３１の間に挿脱可能に配置される。前眼部専用レンズ３００が挿入された状態で合焦レンズ３１を移動させることにより、撮影光学系３０のピント（焦点位置）を前眼部Ｅｃに合わせることができる。本実施形態において、前眼部専用レンズ３００が「第２レンズ」に該当する。
【００２７】
固視光学系７０は、撮影光学系３０の光路から分岐した固視光学系７０の光路に光学素子を有する。光学素子は、固視標表示部７１、リレーレンズ７２及び絞り７３を含んで形成されている。
【００２８】
固視標表示部７１は、固視標や視力測定用視標を表示する。固視標は被検眼Ｅを固視させるための視標であり、眼底撮影時やＯＣＴ計測時などに使用される。固視標表示部７１は、たとえばＬＣＤ（Ｌｉｑｕｉｄ  Ｃｒｙｓｔａｌ  Ｄｉｓｐｌａｙ）である。本実施形態において、固視標表示部７１は、アライメント（後述）等がなされた状態、且つ前眼部専用レンズ３００が固視光学系７０の光路に無い状態で、眼底Ｅｆと共役な位置に配置されている。
【００２９】
固視標表示部７１は、制御部２１１（後述）の制御により、その画面上の特定の座標位置のみを選択的に点灯させる。固視標表示部７１から出力された光は、その一部がハーフミラー４０にて反射され、ダイクロイックミラー３２に反射され、合焦レンズ３１及びダイクロイックミラー５５を経由し、孔開きミラー２１の孔部を通過し、対物レンズ２２により屈折されて眼底Ｅｆに投影される。
【００３０】
固視標表示部７１はＬＣＤに限られない。たとえば複数のＬＥＤ（Ｌｉｇｈｔ  Ｅｍｉｔｔｉｎｇ  Ｄｉｏｄｅ）が配列されたパネルをＬＣＤの代わりに配置し、少なくとも一つのＬＥＤを点灯させることにより固視標の像の投影を行うことができる。この場合、ＬＥＤを点灯させることも「表示」に含まれるものとする。
【００３１】
リレーレンズ７２は、ハーフミラー４０と固視標表示部７１の間に挿脱可能に設けられている。リレーレンズ７２が固視光学系７０の光路に配置されることにより、眼底Ｅｆに対して固視標の像の焦点位置を変更することができる。すなわち、前眼部専用レンズ３００が撮影光学系３０の光路に配置されると、固視標表示部７１と眼底Ｅｆの共役関係が崩れるが、リレーレンズ７２を固視光学系７０の光路に配置することで眼底Ｅｆに固視標の像の焦点位置を合わせることができる。つまり、前眼部専用レンズ３００の挿入により崩れた固視標表示部７１と眼底Ｅｆとの共役関係を回復することができる。本実施形態において、リレーレンズ７２が「第１レンズ」に該当する。
【００３２】
絞り７３は、リレーレンズ７２と固視標表示部７１の間に配置されている。絞り７３は、その開口サイズを変更することにより、眼底Ｅｆに投影される固視標の像のサイズ（大きさ）を変更することができる。前眼部専用レンズ３００が撮影光学系３０の光路に挿入されること等により、眼底Ｅｆに投影される固視標の像は拡大する。従って、被検者はどこを固視すべきか分かり難くなる。この場合、絞り７３は、その開口サイズを狭くし、固視標表示部７１により眼底Ｅｆに投影される固視標の像のサイズを小さくする。このように、絞り７３で固視標の像のサイズを変更することにより、眼底Ｅｆに所望の大きさで固視標の像を投影させることができる。なお、絞り７３は、上述のように単一の開口のサイズを連続的に変更させることにより固視標のサイズを変更するものに限られない。たとえば、異なる開口サイズを有するターレット状の絞り７３を設け、固視標の像の大きさに合わせて対応する開口サイズを択一的に固視標表示部７１の前に配置させることも可能である。本実施形態において、これらの絞り７３が「変更手段」に該当する。
【００３３】
更に、眼底カメラユニット２には、従来の眼底カメラと同様にアライメント光学系５０とフォーカス光学系６０が設けられている。アライメント光学系５０は、被検眼Ｅに対する装置光学系の位置合わせ（アライメント）を行うための視標（アライメント視標）を生成する。フォーカス光学系６０は、被検眼Ｅに対して焦点（ピント）を合わせるための視標（スプリット視標）を生成する。
【００３４】
アライメント光学系５０のＬＥＤ５１から出力された光（アライメント光）は、絞り５２、５３及びリレーレンズ５４を経由してダイクロイックミラー５５により反射され、孔開きミラー２１の孔部を通過し、対物レンズ２２により被検眼Ｅに投影される。
【００３５】
アライメント光の被検眼Ｅからの反射光は、対物レンズ２２及び上記孔部を経由し、その一部がダイクロイックミラー５５を透過し、合焦レンズ３１を通過し、ダイクロイックミラー３２により反射され、ハーフミラー４０を透過し、ダイクロイックミラー３３に反射され、集光レンズ３４によりＣＣＤイメージセンサ３５の受光面に投影される。ＣＣＤイメージセンサ３５による受光像（アライメント視標像）は、観察画像Ｋとともに表示装置３に表示される。ユーザは、従来の眼底カメラと同様の操作を行ってアライメントを実施する。また、演算制御ユニット２００がアライメント視標像の位置を解析して光学系を移動させることによりアライメントを行ってもよい。
【００３６】
フォーカス調整を行う際には、照明光学系１０の光路に反射棒６７の反射面が斜設される。フォーカス光学系６０のＬＥＤ６１から出力された光（フォーカス光）は、リレーレンズ６２を通過し、スプリット視標板６３により二つの光束に分離され、二孔絞り６４を通過し、ミラー６５に反射され、集光レンズ６６により反射棒６７の反射面に一旦結像されて反射される。更に、フォーカス光は、リレーレンズ２０を経由し、孔開きミラー２１に反射され、対物レンズ２２により被検眼Ｅに結像される。
【００３７】
フォーカス光の被検眼Ｅからの反射光は、アライメント光の反射光と同様の経路を通ってＣＣＤイメージセンサ３５により検出される。ＣＣＤイメージセンサ３５による受光像（スプリット視標像）は、観察画像とともに表示装置３に表示される。演算制御ユニット２００は、従来と同様に、スプリット視標像の位置を解析して合焦レンズ３１及びフォーカス光学系６０を移動させてピント合わせを行う。また、スプリット視標を視認しつつ手動でピント合わせを行ってもよい。
【００３８】
ダイクロイックミラー３２の後方には、ミラー４１、コリメータレンズ４２、及びガルバノミラー４３、４４を含む光路が設けられている。この光路はＯＣＴユニット１００に導かれている。
【００３９】
ガルバノミラー４４は、ＯＣＴユニット１００からの信号光ＬＳをｘ方向に走査する。ガルバノミラー４３は、信号光ＬＳをｙ方向に走査する。これら二つのガルバノミラー４３、４４により、信号光ＬＳをｘｙ平面上の任意の方向に走査することができる。本実施形態において、信号光ＬＳは「照明光」の一例である。
【００４０】
＜ＯＣＴユニット＞
ＯＣＴユニット１００には、被検眼Ｅの断層像を取得するための光学系が設けられている（図２を参照）。この光学系は、従来のフーリエドメインタイプのＯＣＴ装置と同様の構成を有する。すなわち、この光学系は、低コヒーレンス光を参照光と信号光に分割し、被検眼Ｅを経由した信号光と参照光路を経由した参照光とを干渉させて干渉光を生成し、この干渉光のスペクトル成分を検出するように構成されている。この検出結果（検出信号）は演算制御ユニット２００に送られる。
【００４１】
光源ユニット１０１は広帯域の低コヒーレンス光Ｌ０を出力する。低コヒーレンス光Ｌ０は、たとえば、近赤外領域の波長帯（約８００ｎｍ〜９００ｎｍ程度）を含み、数十マイクロメートル程度の時間的コヒーレンス長を有する。
【００４２】
光源ユニット１０１から出力された低コヒーレンス光Ｌ０は、光ファイバ１０２によりファイバカプラ１０３に導かれて信号光ＬＳと参照光ＬＲに分割される。なお、ファイバカプラ１０３は、光を分割する手段（スプリッタ；ｓｐｌｉｔｔｅｒ）、及び、光を合成する手段（カプラ；ｃｏｕｐｌｅｒ）の双方の作用を有するが、ここでは慣用的に「ファイバカプラ」と称する。
【００４３】
信号光ＬＳは、光ファイバ１０４により導光され、コリメータレンズユニット１０５により平行光束となる。更に、信号光ＬＳは、各ガルバノミラー４４、４３により反射され、コリメータレンズ４２により集光され、ミラー４１により反射され、ダイクロイックミラー３２を透過し、固視標表示部７１からの光と同じ経路を通って被検眼Ｅに照射される。信号光ＬＳは、被検眼Ｅにおいて散乱、反射される。この散乱光及び反射光をまとめて信号光ＬＳの反射光と称することがある。信号光ＬＳの反射光は、同じ経路を逆向きに進行してファイバカプラ１０３に導かれる。
【００４４】
参照光ＬＲは、光ファイバ１０６により導光され、コリメータレンズユニット１０７により平行光束となる。更に、参照光ＬＲは、ミラー１０８、１０９、１１０により反射され、ＮＤ（Ｎｅｕｔｒａｌ  Ｄｅｎｓｉｔｙ）フィルタ１１１により減光され、ミラー１１２に反射され、コリメータレンズ１１３により参照ミラー１１４の反射面に結像される。参照ミラー１１４に反射された参照光ＬＲは、同じ経路を逆向きに進行してファイバカプラ１０３に導かれる。
【００４５】
ファイバカプラ１０３は、信号光ＬＳの反射光と、参照ミラー１１４に反射された参照光ＬＲとを合波する。これにより生成された干渉光ＬＣは、光ファイバ１１５により導光されて出射端１１６から出射される。更に、干渉光ＬＣは、コリメータレンズ１１７により平行光束とされ、回折格子１１８により分光（スペクトル分解）され、集光レンズ１１９により集光されてＣＣＤイメージセンサ１２０の受光面に投影される。
【００４６】
ＣＣＤイメージセンサ１２０は、たとえばラインセンサであり、分光された干渉光ＬＣの各スペクトル成分を検出して電荷に変換する。ＣＣＤイメージセンサ１２０は、この電荷を蓄積して検出信号を生成する。更に、ＣＣＤイメージセンサ１２０は、この検出信号を演算制御ユニット２００に送る。
【００４７】
この実施形態ではマイケルソン型の干渉計を採用しているが、たとえばマッハツェンダー型など任意のタイプの干渉計を適宜に採用することが可能である。また、ＣＣＤイメージセンサに代えて、他の形態のイメージセンサ、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどを用いることが可能である。
【００４８】
＜演算制御ユニット＞
演算制御ユニット２００の構成について説明する。演算制御ユニット２００は、ＣＣＤイメージセンサ１２０から入力される検出信号を解析して被検眼ＥのＯＣＴ画像を形成する。そのための演算処理は、従来のフーリエドメインタイプのＯＣＴ装置と同様である。
【００４９】
また、演算制御ユニット２００は、眼底カメラユニット２、表示装置３及びＯＣＴユニット１００の各部を制御する。たとえば演算制御ユニット２００は、眼底Ｅｆの断層像Ｇ（図２を参照）等のＯＣＴ画像を表示装置３に表示させる。
【００５０】
また、眼底カメラユニット２の制御として、演算制御ユニット２００は、観察光源１１、撮影光源１５及びＬＥＤ５１、６１の動作制御、固視標表示部７１の動作制御、合焦レンズ３１の移動制御、反射棒６７の移動制御、フォーカス光学系６０の移動制御、各ガルバノミラー４３、４４の動作制御などを行う。
【００５１】
また、ＯＣＴユニット１００の制御として、演算制御ユニット２００は、光源ユニット１０１の動作制御、参照ミラー１１４及びコリメータレンズ１１３の移動制御、ＣＣＤイメージセンサ１２０の動作制御などを行う。
【００５２】
演算制御ユニット２００は、たとえば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼科撮影装置１を制御するためのコンピュータプログラムが記憶されている。演算制御ユニット２００は、ＣＣＤイメージセンサ１２０からの検出信号に基づいてＯＣＴ画像を形成する専用の回路基板を備えていてもよい。また、演算制御ユニット２００は、キーボードやマウス等の操作デバイス（入力デバイス）や、ＬＣＤ等の表示デバイスを備えていてもよい。
【００５３】
眼底カメラユニット２、表示装置３、ＯＣＴユニット１００及び演算制御ユニット２００は、一体的に（つまり単一の筺体内に）構成されていてもよいし、それぞれ別体として構成されていてもよい。一体的に構成される場合、眼底カメラユニット２、表示装置３、ＯＣＴユニット１００及び演算制御ユニット２００は、１つの本体部に設けられる。別体で構成される場合、少なくとも眼底カメラユニット２の各構成は１つの本体部に設けられている必要がある。
【００５４】
＜制御系＞
眼科撮影装置１の制御系の構成について図３を参照しつつ説明する。
【００５５】
＜制御ユニット＞
眼科撮影装置１の制御系は、演算制御ユニット２００の制御ユニット２１０を中心に構成される。制御ユニット２１０は、たとえば、前述のマイクロプロセッサ、ＲＡＭ、ＲＯＭ、ハードディスクドライブ、通信インターフェイス等を含んで構成される。
【００５６】
制御ユニット２１０には、制御部２１１が設けられている。制御部２１１は、前述の各種制御を行う。特に、制御部２１１は、眼底カメラユニット２の走査駆動部８１、合焦駆動部８２、前眼部専用レンズ駆動部８３、リレーレンズ駆動部８４及び絞り調整部８５、更にＯＣＴユニット１００の光源ユニット１０１及び参照駆動部１３０を制御する。本実施形態において、制御ユニット２１０及び制御部２１１が「制御手段」に該当する。
【００５７】
走査駆動部８１は、たとえばサーボモータを含んで構成され、ガルバノミラー４３、４４の向きを各々独立に変更する。本実施形態において、「走査部」は走査駆動部８１とガルバノミラー４３、４４を含む。
【００５８】
合焦駆動部８２は、たとえばパルスモータを含んで構成され、合焦レンズ３１を光軸方向に移動させる。それにより、眼底Ｅｆに向かう光の合焦位置が変更される。
【００５９】
前眼部専用レンズ駆動部８３は、たとえばソレノイドを含んで構成され、モードの選択に対応して前眼部専用レンズ３００を撮影光学系３０と固視光学系７０との共通の光路に挿脱させる。前眼部専用レンズ３００が挿入された状態で、合焦レンズ３１を移動させることにより、撮影光学系３０のピント（焦点位置）が前眼部Ｅｃと合致する。本実施形態では、第１モードが前眼部Ｅｃを撮影するモードである。従って、入力部２５０等により第１モードが選択された場合、制御部２１１は、前眼部専用レンズ駆動部８３を制御して、前眼部専用レンズ３００を撮影光学系３０と固視光学系７０との共通の光路に挿入する。
【００６０】
リレーレンズ駆動部８４は、たとえばソレノイドを含んで構成され、モードの選択に対応してリレーレンズ７２を固視光学系７０の光路に挿脱させる。それにより、眼底Ｅｆに対する固視標の像の焦点位置が変更される。たとえば、前眼部専用レンズ３００が撮影光学系３０の光路に配置されている場合、そのままでは固視標表示部７１による固視標の像の焦点位置が眼底Ｅｆからずれてしまう。従って、被検者は固視を確実に行えない可能性がある。リレーレンズ駆動部８４は、リレーレンズ７２を固視光学系７０の光路に挿入することにより、固視標の像の焦点位置を眼底Ｅｆに合わせる。すなわち、前眼部専用レンズ３００が撮影光学系３０の光路に配置されている場合、リレーレンズ７２は、固視標の像の焦点位置を眼底Ｅｆに合わせるために、固視光学系７０の光路に挿入されるよう構成されている。
【００６１】
絞り調整部８５は、たとえばパルスモータを含んで構成され、モードの選択に対応して絞り７３の開口サイズを変更する。それにより、眼底Ｅｆに投影される固視標の像のサイズが変更される。たとえば、リレーレンズ７２が固視光学系７０の光路に配置された場合、眼底Ｅｆに投影される固視標の像のサイズが大きくなる。この場合、絞り調整部８５は絞り７３の開口サイズを狭め（或いはターレットにより異なる開口サイズから適当な開口サイズを選択することにより）、固視標の像のサイズを変更する。
【００６２】
このように、制御部２１１は、第１モード又は第２モードの選択に対応して固視光学系７０に設けられたリレーレンズ７２及び絞り７３（リレーレンズ駆動部８４及び絞り調整部８５）を制御することにより、固視光学系７０における光学素子の配置を変更する。つまり、眼底Ｅｆに投影される固視標の呈示態様を変更する。なお、「固視標の呈示態様を変更する」とは、被検眼Ｅによる固視標の像の視認状態を変更することである。本実施形態では、固視標のサイズを最適な大きさに変更させることも「固視標の呈示態様を変更する」ことに含まれる。
【００６３】
参照駆動部１３０は、たとえばパルスモータを含んで構成され、参照光ＬＲの進行方向に沿って、コリメータレンズ１１３及び参照ミラー１１４を一体的に移動させる。
【００６４】
また、制御部２１１は、固視標表示部７１を制御し、固視標を表示させる。制御部２１１は、記憶部２１２にデータを書き込む処理や、記憶部２１２からデータを読み出す処理を行う。
【００６５】
記憶部２１２は、各種のデータを記憶する。記憶部２１２に記憶されるデータとしては、たとえば、ＯＣＴ画像の画像データ、眼底像の画像データ、画像データを取得した際の撮影モード、画像データを取得した際の固視標の投影位置、患者ＩＤや氏名などの被検者に関する情報、撮影日時、及び左眼／右眼の識別情報（左右情報）などがある。
【００６６】
＜画像形成部＞
画像形成部２２０は、ＣＣＤイメージセンサ１２０からの検出信号に基づいて、被検眼Ｅの断層像の画像データを形成する。この処理には、従来のフーリエドメインタイプの光コヒーレンストモグラフィと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。
【００６７】
画像形成部２２０は、たとえば、前述の回路基板や通信インターフェイス等を含んで構成される。なお、この明細書では、「画像データ」と、それに基づいて呈示される「画像」とを同一視することがある。
【００６８】
＜画像処理部＞
画像処理部２３０は、画像形成部２２０により形成された画像や眼底カメラユニット２で取得された画像に対して各種の画像処理や解析処理を施す。たとえば、画像処理部２３０は、画像の輝度補正や分散補正等の各種補正処理を実行する。
【００６９】
また、画像処理部２３０は、画像形成部２２０により形成された断層像の間の画素を補間する補間処理を実行するなどして、被検眼Ｅの３次元画像の画像データを形成する。
【００７０】
画像処理部２３０は、３次元画像の画像データに基づいて、任意の断面における断層像を形成することができる。この処理は、たとえば、手動又は自動で指定された断面に対し、この断面上に位置する画素（ボクセル等）を特定し、特定された画素を２次元的に配列させて当該断面における被検眼Ｅの形態を表す画像データを形成することにより実行される。このような処理により、元の断層像の断面（信号光ＬＳの走査線の位置）だけでなく、所望の断面における画像を取得することが可能となる。
【００７１】
画像処理部２３０は、たとえば、前述のマイクロプロセッサ、ＲＡＭ、ＲＯＭ、ハードディスクドライブ、回路基板等を含んで構成される。
【００７２】
＜表示部＞
表示部２４０は、前述した演算制御ユニット２００の表示デバイスを含んで構成される。また、表示部２４０は、眼底カメラユニット２の筺体に設けられたタッチパネルモニタなどの各種表示デバイスを含んでいてもよい。
【００７３】
＜入力部＞
入力部２５０は、前述した演算制御ユニット２００の入力デバイスを含んで構成される。また、入力部２５０には、眼科撮影装置１の筐体や外部に設けられた各種のボタンやキーが含まれていてもよい。たとえば眼底カメラユニット２が従来の眼底カメラと同様の筺体を有する場合、入力部２５０は、この筺体に設けられたジョイスティックや操作パネル等を含んでいてもよい。
【００７４】
なお、表示部２４０と入力部２５０は、それぞれ個別のデバイスとして構成される必要はない。たとえばタッチパネルモニタのように、表示機能と入力機能とが一体化されたデバイスを用いることも可能である。
【００７５】
＜信号光の走査及びＯＣＴ画像について＞
ここで、信号光ＬＳの走査及びＯＣＴ画像について説明する。
【００７６】
眼科撮影装置１による信号光ＬＳの走査態様としては、たとえば、水平スキャン、垂直スキャン、十字スキャン、放射スキャン、円スキャン、同心円スキャン、螺旋（渦巻）スキャンなどがある。これらの走査態様は、被検眼の観察部位、解析対象（網膜厚など）、走査に要する時間、走査の精密さなどを考慮して適宜に選択的に使用される。
【００７７】
ガルバノミラー４３、４４は互いに直交する方向に信号光ＬＳを走査するように構成されているので、信号光ＬＳをｘ方向及びｙ方向にそれぞれ独立に走査できる。更に、ガルバノミラー４３、４４の向きを同時に制御することにより、ｘｙ面上の任意の軌跡に沿って信号光ＬＳを走査することが可能である。それにより、上記のような各種の走査態様を実現できる。
【００７８】
上記のような態様で信号光ＬＳを走査することにより、走査線（走査軌跡）に沿った深度方向（ｚ方向）の断層像を形成することができる。また、特に走査線の間隔が狭い場合には、３次元画像を形成することができる。
【００７９】
＜動作＞
次に、図４を参照して、第１実施形態に係る眼科撮影装置１の動作について説明する。ここでは、ＯＣＴユニット１００を用いて被検眼Ｅを撮影する場合について述べる。また、以下の動作では、撮影光学系３０の光路に前眼部専用レンズ３００が挿入されていない状態を前提として説明を行う。
【００８０】
まず、検査者は入力部２５０等により、撮影モードを選択する（Ｓ１０）。
【００８１】
Ｓ１０で第１モードが選択された場合、制御部２１１は、前眼部専用レンズ駆動部８３を駆動させ、撮影光学系３０の光路に前眼部専用レンズ３００を挿入させる（Ｓ１１）。そして、制御部２１１は、合焦駆動部８２を駆動させ、撮影光学系３０の光路で合焦レンズ３１の位置を移動させる（Ｓ１２）。Ｓ１１及びＳ１２により、撮影光学系３０のピント（焦点位置）が前眼部Ｅｃに合致する。
【００８２】
次に、制御部２１１は、リレーレンズ駆動部８４を駆動させ、リレーレンズ７２を固視光学系７０の光路に挿入させる（Ｓ１３）。更に、制御部２１１は、絞り調整部８５を駆動させ、絞り７３の開口サイズを狭める（Ｓ１４）。Ｓ１４により、固視標表示部７１から投影される固視標の像のサイズを小さくすることができる。それにより、第１モードにおいて眼底Ｅｆに所望の固視標の像を投影することが可能となる。よって、固視の適正化を図ることができる。
【００８３】
その後、制御部２１１は、参照駆動部１３０を駆動させ、コリメータレンズ１１３及び参照ミラー１１４を第１モードの撮影に対応する位置に移動させる（Ｓ１５）。そして、アライメント光学系５０等により前眼部Ｅｃに対するアライメント等が行われ、撮影光学系３０と前眼部Ｅｃとの位置合わせが完了する（Ｓ１６）。以上の動作を行った後、第１モードによる撮影が開始される（Ｓ１７）。
【００８４】
一方、Ｓ１０で第２モードが選択された場合、アライメント光学系５０等により眼底Ｅｆに対するアライメント等が行われ、撮影光学系３０と眼底Ｅｆとの位置合わせが完了する（Ｓ１８）。その後、ＯＣＴユニット１００により仮計測を行い、表示部２４０にＯＣＴ画像を表示させる。制御部２１１は、そのフレーム内の特定領域において表示されるＯＣＴ画像に基づき、参照駆動部１３０を駆動させ、参照ミラー１１４を第２モードの撮影に対応する移動させる（Ｓ１９）。この動作により、眼底Ｅｆに対する撮影光学系３０の焦点位置の微調整が可能となる。以上の動作を行った後、第２モードによる撮影（本計測）が開始される（Ｓ１７）。
【００８５】
＜作用・効果＞
以上のような眼科撮影装置１の作用及び効果について説明する。
【００８６】
本実施形態に係る眼科撮影装置１は、被検眼Ｅの第１の深さ位置（前眼部Ｅｃ）を撮影する第１モードと、第１の深さ位置とは異なる第２の深さ位置（眼底Ｅｆ）を撮影する第２モードとで動作可能である。眼科撮影装置１は、撮影光学系３０と、固視光学系７０と、制御部２１１を含んで構成されている。撮影光学系３０は、第１モード及び第２モードのうち予め選択されたモードで被検眼Ｅを撮影する。固視光学系７０は、固視標を表示する固視標表示部７１を撮影光学系３０から分岐した光路に有し、固視標表示部７１により表示された固視標の像を被検眼Ｅに投影する。制御部２１１は、選択されたモードに対応して固視光学系７０を制御し、固視標の呈示態様を変更する。
【００８７】
従って、本実施形態の構成によれば、被検眼の撮影部位（たとえば、前眼部Ｅｃや眼底Ｅｆ）に関わらず、眼底Ｅｆにピントが合った固視標の像を呈示できる。つまり、被検眼の撮影部位に関わらず、固視の適正化を図ることができる。
【００８８】
また、本実施形態に係る眼科撮影装置１の制御部２１１は、固視光学系７０における光学素子の配置を変更することにより、固視標の呈示態様を変更する。より具体的に説明すると、固視光学系７０は、固視標の像の焦点位置を変更する第１レンズ（リレーレンズ７２）を有する。そして、制御部２１１は、選択されたモードに対応してリレーレンズ７２を固視光学系７０の光路に挿脱させることにより、固視光学系７０における光学素子の配置を変更する。更に、本実施形態に係る眼科撮影装置１の固視光学系７０は、被検眼Ｅに投影される固視標の像の大きさを変更する変更手段（絞り７３）を有する。制御部２１１は、固視光学系７０の光路へのリレーレンズ７２の挿脱に対応して絞り７３を駆動させ、固視標の像の大きさを変更する。
【００８９】
従って、被検眼の撮影部位に対応するように、リレーレンズ７２や絞り７３を動作させることにより、眼底Ｅｆにピントが合った固視標の像を呈示できる。つまり、被検眼の撮影部位に関わらず、固視の適正化を図ることができる。
【００９０】
更に、本実施形態に係る眼科撮影装置１は、被検眼Ｅの第１の深さ位置（前眼部Ｅｃ）を撮影する第１モードと、第１の深さ位置とは異なる第２の深さ位置（眼底Ｅｆ）を撮影する第２モードとで動作可能である。眼科撮影装置１は、撮影光学系３０と、固視光学系７０と、制御部２１１を含んで構成されている。撮影光学系３０は、第１モード及び第２モードのうち予め選択されたモードで被検眼Ｅを撮影する。固視光学系７０は、固視標を表示する固視標表示部７１を撮影光学系３０から分岐した光路に有し、固視標表示部７１により表示された固視標を被検眼Ｅに投影する。制御部２１１は、選択されたモードに対応して固視光学系７０を制御し、被検眼Ｅの眼底Ｅｆに対する共役位置と固視標表示部７１の位置とを略一致させるように固視光学系７０を調整する。なお、「眼底Ｅｆに対する共役位置と固視標表示部７１の位置とを略一致させる」とは、被検者が固視標表示部７１による固視標の像を認識することができるよう、眼底Ｅｆに対する共役位置と固視標表示部７１の位置との調整を行うことである。
【００９１】
たとえば、前眼部専用レンズ３００が撮影光学系３０の光路に配置された場合、眼底Ｅｆに対する共役位置が固視標表示部７１の位置からずれる。そこで、制御部２１１は、リレーレンズ駆動部８４を駆動させ、リレーレンズ７２を固視光学系７０の光路に配置することで、眼底Ｅｆに対する共役位置と固視標表示部７１の位置とを一致させる。
【００９２】
従って、被検眼の撮影部位に応じて、眼底Ｅｆに対する共役位置と固視標表示部７１の位置を一致させることにより、眼底Ｅｆにピントが合った固視標の像を呈示できる。つまり、被検眼の撮影部位に関わらず、固視の適正化を図ることができる。
【００９３】
＜第２実施形態＞
次に、図５から図７を参照して、第２実施形態に係る眼科撮影装置の構成について説明する。第１実施形態と同様の構成については同じ符号を用いる。また、第１実施形態と同様の構成については詳細な説明を省略する場合がある。本実施形態では、撮影モードとして前眼部Ｅｃを撮影する第１モード、及び眼底Ｅｆを撮影する第２モードの２つの撮影モードを有している。
【００９４】
本実施形態の眼科撮影装置１は、絞り調整部８５の代わりに、固視標駆動部８６を有する（図６参照）。固視標駆動部８６は、たとえばパルスモータを含んで構成され、固視標表示部７１を固視光学系７０の光路に沿って前後方向に移動させる。なお、「前後方向」とは、固視標表示部７１がハーフミラー４０に近づく方向（前方向）、及び遠ざかる方向（後方向）を意味する。固視標表示部７１は、固視光学系７０の光路に沿って前後方向に移動可能に設けられている（図５参照）。たとえば、前述のように、第１モードが選択された場合、前眼部専用レンズ３００が撮影光学系３０の光路に挿入されること等により、眼底Ｅｆに投影される固視標の像は拡大する。この場合、制御部２１１は、固視標駆動部８６を制御し、固視標表示部７１を後方向に移動させる。それにより、眼底Ｅｆに投影される固視標の像のサイズを小さくすることができる。このようにして、所望の大きさの固視標の像を眼底Ｅｆに投影することができる。本実施形態における固視標駆動部８６が、「固視標移動手段」に該当する。
【００９５】
＜動作＞
次に、図７を参照して、第２実施形態に係る眼科撮影装置１の動作について説明する。ここでは、ＯＣＴユニット１００を用いて被検眼Ｅを撮影する場合について述べる。また、以下の動作では、撮影光学系３０の光路に前眼部専用レンズ３００が挿入されていない状態を前提として説明を行う。
【００９６】
まず、検査者は入力部２５０等により、撮影モードを選択する（Ｓ２０）。
【００９７】
Ｓ２０で第１モードが選択された場合、制御部２１１は、撮影光学系３０の光路に前眼部専用レンズ３００を挿入させ（Ｓ２１）、撮影光学系３０の光路で合焦レンズ３１の位置を移動させる（Ｓ２２）。Ｓ２１及びＳ２２により、撮影光学系３０のピント（焦点位置）が前眼部Ｅｃに合致する。
【００９８】
次に、制御部２１１は、リレーレンズ７２を固視光学系７０の光路に挿入させ（Ｓ２３）、固視標表示部７１を固視光学系７０の後方向に移動させる（Ｓ２４）。Ｓ２４により、第１モードにおいて眼底Ｅｆに所望の固視標を投影することが可能となる。よって、固視の適正化を図ることができる。
【００９９】
その後、制御部２１１は、コリメータレンズ１１３及び参照ミラー１１４を第１モードの撮影に対応する位置に移動させる（Ｓ２５）。そして、アライメント光学系５０等により撮影光学系３０と前眼部Ｅｃとの位置合わせが完了する（Ｓ２６）。以上の動作を行った後、第１モードによる撮影が開始される（Ｓ２７）。
【０１００】
一方、Ｓ２０で第２モードが選択された場合、アライメント光学系５０等により撮影光学系３０と眼底Ｅｆとの位置合わせが完了する（Ｓ２８）。その後、ＯＣＴユニット１００により仮計測を行い、表示部２４０にＯＣＴ画像を表示させる。そのＯＣＴ画像における注目部位がフレーム内の所定位置に描画されるように参照駆動部１３０を駆動させ、参照ミラー１１４を第２モードの撮影に対応する移動させる（Ｓ２９）。この動作により、眼底Ｅｆに対して撮影光学系３０の焦点位置を厳密に合わせることが可能となる。以上の動作を行った後、第２モードによる撮影（本計測）が開始される（Ｓ２７）。
【０１０１】
なお、制御部２１１により、固視標表示部７１とリレーレンズ７２を相対的に移動させることにより、固視標の像のサイズ調整が可能である。すなわち、固視標の像のサイズ調整は、本実施形態で説明したように、固視標表示部７１を移動させる場合に限られない。たとえば、制御部２１１により、固視光学系７０の光路に挿入したリレーレンズ７２を前後方向に移動させることによっても、固視標の像のサイズ調整が可能である。
【０１０２】
＜作用・効果＞
以上のような眼科撮影装置１の作用及び効果について説明する。
【０１０３】
本実施形態に係る眼科撮影装置１は、固視光学系７０の光路に沿って固視標表示部７１を移動させる固視標移動手段（固視標駆動部８６）を有する。制御部２１１は、固視光学系７０の光路へのリレーレンズ７２の挿脱に対応して固視標移動手段を駆動させ、固視標表示部７１を移動させる。
【０１０４】
従って、本実施形態の構成によれば、被検眼の撮影部位（たとえば、前眼部Ｅｃや眼底Ｅｆ）に対応して固視標表示部７１を移動させることにより、被検眼Ｅに対して所望の固視標の像を呈示できる。つまり、被検眼の撮影部位に関わらず、固視の適正化を図ることができる。
【０１０５】
＜第２実施形態の変形例＞
本変形例では、第２実施形態におけるリレーレンズ７２が複数のリレーレンズ（７２ａ、７２ｂ。図示なし）を含む構成について説明する。
【０１０６】
リレーレンズ７２ａは、前眼部Ｅｃを撮影する際に用いられるレンズである。撮影光学系３０に前眼部専用レンズ３００が挿入された状態で、固視光学系７０にリレーレンズ７２ａを挿入することで、眼底Ｅｆに固視標の像の焦点位置を合わせることができる。つまり、固視標表示部７１と眼底Ｅｆとの共役関係を保つことができる。
【０１０７】
リレーレンズ７２ｂは、眼底Ｅｆを撮影する際に用いられるレンズである。撮影光学系３０から前眼部専用レンズ３００が離脱された状態で、固視光学系７０にリレーレンズ７２ｂを挿入することで、眼底Ｅｆに固視標の像の焦点位置を合わせることができる。つまり、固視標表示部７１と眼底Ｅｆとの共役関係を保つことができる。
【０１０８】
本変形例において、リレーレンズ７２ａが「第１モード用レンズ」に該当し、リレーレンズ７２ｂが「第２モード用レンズ」に該当する。
【０１０９】
また、本実施形態の眼科撮影装置１は、リレーレンズ駆動部８４の代わりに、リレーレンズ切換部８７（図示なし）を有する。リレーレンズ切換部８７は、たとえばソレノイドを含んで構成され、モードの選択に対応してリレーレンズ７２ａ又はリレーレンズ７２ｂを固視光学系７０の光路に移動させる。たとえば、第１モードが選択された場合、撮影光学系３０の光路に前眼部専用レンズ３００が挿入されることにより、眼底Ｅｆに対する固視標の像の焦点位置がずれる（固視標表示部７１と眼底Ｅｆの共役関係が崩れる）。この場合、リレーレンズ切換部８７は、リレーレンズ７２ａを固視光学系７０の光路に挿入させる。リレーレンズ７２ａを固視光学系７０の光路に挿入することで固視標の像の焦点位置を眼底Ｅｆに合わせることができる。
【０１１０】
＜作用・効果＞
以上のような眼科撮影装置１の作用及び効果について説明する。
【０１１１】
本変形例に係る眼科撮影装置１は、第１レンズとして、第１モードに対応して用いられる第１モード用レンズ（リレーレンズ７２ａ）と、第２モードに対応して用いられる第２モード用レンズ（リレーレンズ７２ｂ）とを含んで構成されている。制御部２１１は、第１モード用レンズ又は第２モード用レンズを固視光学系７０の光路に挿脱させることにより、光学素子の配置を変更する。つまり、固視標の呈示態様を変更する。
【０１１２】
従って、本実施形態の構成によれば、被検眼の撮影部位（たとえば、前眼部Ｅｃや眼底Ｅｆ）に対応してリレーレンズの種類を変更することにより、被検眼Ｅに対して所望の固視標の像を呈示できる。つまり、被検眼の撮影部位に関わらず、固視の適正化を図ることができる。
【０１１３】
＜第３実施形態＞
次に、図８及び図９を参照して、第３実施形態に係る眼科撮影装置の構成について説明する。第１実施形態及び第２実施形態と同様の構成については同じ符号を用いる。また、第１実施形態及び第２実施形態と同様の構成については詳細な説明を省略する場合がある。
【０１１４】
また、本実施形態において、制御部２１１が固視光学系７０を制御し、固視標の呈示態様を変更させる場合、第１実施形態から第３実施形態のいずれかの手法を用いることができる。第３実施形態の手法を用いる場合、リレーレンズ７２ａは「前眼部用レンズ」に該当し、リレーレンズ７２ｂは、「眼底用レンズ」に該当する。以下では、第１実施形態の手法を用いる場合について説明する。
【０１１５】
本実施形態の眼科撮影装置１は、本体部（図示なし）及び架台移動部８８を有する（図８参照）。本体部は、たとえば従来と同様に基台部（図示なし）と架台部（図示なし）とを有する。基台部は、机や床に固定される。架台部は、照明光学系１０、撮影光学系３０及び固視光学系７０を含んで構成され、基台部に対して移動可能となっている。架台移動部８８は、たとえばパルスモータを含んで構成され、制御部２１１からの制御信号に基づいて基台部に対して架台部を相対的に移動させる。具体的に説明すると、入力部２５０等から架台部を移動させるための指示入力があった場合、制御部２１１からの制御信号に基づき、架台移動部８８は、対物レンズ２２を含む架台部を顎受け（額当て）に対して近づけたり遠ざけたりする。すなわち、架台移動部８８は、被検眼Ｅと対物レンズ２２との作動距離（ワーキングディスタンス：ＷＤ）を変更させる動作を行う。一般的に、眼底Ｅｆを撮影する場合には、架台部を被検眼Ｅに近づける。前眼部Ｅｃを撮影する場合には、架台部を被検眼Ｅから遠ざける。本実施形態において、架台移動部８８が「架台部移動手段」に該当する。なお、従来と同様に、架台部を手動で動かす構成も可能である。
【０１１６】
記憶部２１２には、所定の閾値が予め記憶されている。閾値は、眼科撮影装置１において眼底Ｅｆを撮影するか前眼部Ｅｃを撮影するかを判断するための値である。ＷＤは、装置により前眼部Ｅｃ用と眼底Ｅｆ用とが予め決まっている。閾値は、その値を基に決まる。たとえば、前眼部撮影が可能なＷＤと眼底撮影が可能なＷＤとの間の位置（たとえば、中間位置）を閾値とする。
【０１１７】
制御ユニット２１０は、位置検出部２１１ａを有する（図８参照）。位置検出部２１１ａは、基台部に対する架台部の位置を検出する。架台部が手動で移動される場合、当該位置はエンコーダ等の位置センサーにより検出される。架台部が制御部２１１により移動される場合、制御部２１１は、その制御信号に基づいて架台部の位置を特定する。
【０１１８】
或いは、眼科撮影装置１によって撮影された画像を解析し、その画像の変化により本体部の大まかな位置を検出してもよい。たとえば、撮影画像に被検眼Ｅの全体が映っている場合、架台部は被検眼Ｅから遠い位置にあるといえる。一方、撮影画像に被検眼Ｅの一部しか映っていない場合、架台部は被検眼Ｅに近い位置にあるといえる。
【０１１９】
制御部２１１は、位置検出部２１１ａの検出結果と閾値との比較結果に基づいて、固視光学系７０を制御し、固視標の呈示態様を変更する。たとえば、位置検出部２１１ａで検出された架台部の位置が閾値よりも大きい（前眼部Ｅｃ用のＷＤに近い）という比較結果が得られると、制御部２１１は、被検眼Ｅの前眼部Ｅｃを撮影するために固視光学系７０を制御する。具体的には、前眼部専用レンズ駆動部８３により前眼部専用レンズ３００が撮影光学系３０に挿入されると、制御部２１１は、リレーレンズ駆動部８４を駆動させ、リレーレンズ７２を固視光学系７０の光路に挿入する。また制御部２１１は、絞り調整部８５を駆動させ、絞り７３の開口サイズを狭めることにより、眼底Ｅｆに投影される固視標の像のサイズを変更する。
【０１２０】
＜動作＞
次に、図９を参照して、第３実施形態に係る眼科撮影装置１の動作について説明する。ここでは、ＯＣＴユニット１００を用いて被検眼Ｅを撮影する場合について述べる。また、以下の動作では、検査者が眼底Ｅｆの撮影を行った後、前眼部Ｅｃの撮影を継続して行う場合について説明する。
【０１２１】
まず、検査者は被検眼Ｅに対して本体部を遠ざけるよう入力部２５０により入力を行う。制御部２１１は、架台移動部８８を駆動させ、被検眼Ｅに対して架台部を遠ざけるように移動させる（Ｓ３０）。
【０１２２】
位置検出部２１１ａは、Ｓ３０での移動に際し、基台部に対する架台部の位置を測定する（Ｓ３１）。測定結果は制御部２１１に送信する。
【０１２３】
制御部２１１は、Ｓ３１での測定結果と記憶部２１２に記憶された閾値とを比較する。Ｓ３１での測定結果が閾値よりも大きい場合（Ｓ３２でＹの場合）、制御部２１１は、前眼部Ｅｃを撮影するよう撮影光学系３０及び固視光学系７０の調整を行う。
【０１２４】
すなわち、制御部２１１は、前眼部専用レンズ３００を撮影光学系３０の光路に挿入させ（Ｓ３３）、撮影光学系３０の光路で合焦レンズ３１の位置を移動させる（Ｓ３４）。Ｓ３３及びＳ３４により、撮影光学系３０のピント（焦点位置）が前眼部Ｅｃに合致する。
【０１２５】
また、制御部２１１は、リレーレンズ７２を固視光学系７０の光路に挿入させ（Ｓ３５）、絞り７３の開口サイズを狭める（Ｓ３６）。Ｓ３６により、第１モードにおいて眼底Ｅｆに適切な固視標の像を投影することが可能となる。よって、固視の適正化を図ることができる。
【０１２６】
その後、制御部２１１は、コリメータレンズ１１３及び参照ミラー１１４を第１モードの撮影に対応する位置に移動させる（Ｓ３７）。アライメント光学系５０等により撮影光学系３０と前眼部Ｅｃとの位置合わせが完了する（Ｓ３８）。以上の動作を行った後、第１モードによる撮影が開始される（Ｓ３９）。
【０１２７】
一方、Ｓ３１での測定結果が閾値よりも小さい場合（Ｓ３２でＮの場合）、前眼部Ｅｃを撮影できる作動距離が確保されていないこととなる。この場合、制御部２１１は、架台移動部８８を駆動させ、被検眼Ｅから架台部を更に遠ざける（Ｓ３０）。
【０１２８】
＜作用・効果＞
以上のような眼科撮影装置１の作用及び効果について説明する。
【０１２９】
本実施形態に係る眼科撮影装置１は、撮影光学系３０と、固視光学系７０と、基台部と、架台部と、架台移動部８８と、制御部２１１とを有する。撮影光学系３０は、被検眼Ｅを撮影する。固視光学系７０は、固視標を表示する固視標表示部７１を撮影光学系３０から分岐した光路に有し、固視標表示部７１により表示された固視標の像を被検眼Ｅに投影する。架台部は、撮影光学系３０及び固視光学系７０を含む。架台移動部８８は、架台部を移動させる。制御部２１１は、架台部の位置に対応して固視光学系７０を制御し、固視標の呈示態様を変更する。更に、本実施形態に係る眼科撮影装置１は、所定の閾値を予め記憶する記憶部２１２を有する。制御部２１１は、架台部の位置を検出する位置検出部２１１ａを有する。位置検出部２１１ａによる検出結果と所定の閾値との比較結果に基づいて固視光学系７０を制御し、固視標の呈示態様を変更する。
【０１３０】
従って、本実施形態の構成によれば、被検眼の撮影部位（たとえば、前眼部Ｅｃや眼底Ｅｆ）に関わらず、眼底Ｅｆにピントが合った固視標の像を呈示できる。つまり、被検眼の撮影部位に関わらず、固視の適正化を図ることができる。
【０１３１】
＜変形例１＞
前眼部専用レンズ３００が撮影光学系３０の光路に挿脱される構成は、上記実施形態で説明したような自動に限られない。たとえば、手動で前眼部専用レンズ３００を撮影光学系３０の光路に挿脱させることも可能である。
【０１３２】
この場合、前眼部専用レンズ駆動部８３の代わりに、前眼部専用レンズ検出部８９を設ける（図１０参照）。前眼部専用レンズ検出部８９は、前眼部専用レンズ３００が撮影光学系３０の光路に挿入（または離脱）されたことを検知する。たとえば、前眼部専用レンズ検出部８９によって前眼部専用レンズ３００が撮影光学系３０の光路に挿入されたことを検知した場合、その結果は、制御部２１１に送られる。制御部２１１は、当該検知結果に基づいてリレーレンズ駆動部８４や絞り調整部８５等を動作させ、第１モードで撮影が可能な状態とする。逆に、前眼部専用レンズ検出部８９によって前眼部専用レンズ３００が撮影光学系３０の光路から離脱されたことを検知した場合、その結果は、制御部２１１に送られる。制御部２１１は、当該検知結果に基づいてリレーレンズ駆動部８４や絞り調整部８５等を動作させ、第２モードで撮影が可能な状態とする。
【０１３３】
また、前眼部専用レンズ検出部８９の検出結果に基づいて、制御部２１１が架台部の位置を決定し、架台移動部８８を制御して架台部の位置を移動させることも可能である。たとえば、前眼部専用レンズ検出部８９によって前眼部専用レンズ３００が撮影光学系３０の光路に挿脱されたことを検知した場合、その結果は、制御部２１１に送られる。制御部２１１は、当該検知結果に基づいて架台移動部８８を駆動させ、架台部を前眼部ＥｃのＷＤ（或いは、眼底ＥｆのＷＤ）まで移動させる。
【０１３４】
＜変形例２＞
上記実施形態では、固視標の像のサイズを変更する手法として、絞り７３を設ける構成や、固視標表示部７１自体を移動させる構成について説明したが、固視標の像のサイズを変更する構成は、これに限られない。制御部２１１は、固視標表示部７１による固視標の表示態様を変更することにより、固視標の像のサイズを変更することができる。更に、固視標の視認性を向上させることも可能である。
【０１３５】
たとえば、固視標表示部７１としてＬＥＤを用いる場合、制御部２１１は固視標表示部７１を制御し、点灯させるＬＥＤの数を変えることにより、固視標の大きさを調整することが可能である。たとえば、固視標の像を大きくしたい場合、制御部２１１は、隣接する複数のＬＥＤを点灯させる。このように、絞り７３を用いることなく固視標の像のサイズを変更することが可能である。
【０１３６】
更には、制御部２１１は固視標表示部７１を制御し、ＬＥＤを選択的に点灯させることで固視標の像の形状を変えることが可能である。また、制御部２１１が固視標表示部７１を制御して、ＬＥＤの明るさを調節することや、ＬＥＤが点灯する色を変更することも可能である。このような制御を行うことにより、固視標の像の視認性を上げることができる。
【０１３７】
＜その他＞
以上に説明した構成は、この発明を好適に実施するための一例に過ぎない。よって、この発明の要旨の範囲内における任意の変形を適宜に施すことが可能である。また、上記実施形態や変形例の構成を適宜組み合わせることが可能である。
【符号の説明】
【０１３８】
１  眼科撮影装置
２  眼底カメラユニット
３０  撮影光学系
７０  固視光学系
７１  固視標表示部
７２  リレーレンズ
７３  絞り
８２  合焦駆動部
８３  前眼部専用レンズ駆動部
８４  リレーレンズ駆動部
８５  絞り調整部
１００  ＯＣＴユニット
２００  演算制御ユニット
２１０  制御ユニット
２１１  制御部
２１２  記憶部
３００  前眼部専用レンズ
Ｅ  被検眼
Ｅｃ  前眼部
Ｅｆ  眼底
【図１】
0005830264.tif 000002
【図２】
0005830264.tif 000003
【図３】
0005830264.tif 000004
【図４】
0005830264.tif 000005
【図５】
0005830264.tif 000006
【図６】
0005830264.tif 000007
【図７】
0005830264.tif 000008
【図８】
0005830264.tif 000009
【図９】
0005830264.tif 000010
【図１０】
0005830264.tif 000011